(57)【要約】      （修正有）【課題】１個の締付用工具をもって締付作業が実施可能であり、作業性に優れた防護柵の横桟支持具を提供。【解決手段】横桟支持具3の支柱1と当接する取付部31に穿設したボルト孔32の内面側周囲に、前記ボルト孔32を介して横桟支持具3を支柱1に固定する多角形ボルトの頭部側面又は多角形ナットの側面に当接させ、前記多角形ボルト又は多角形ナットの回転を阻止する係止部37を少なくとも２個以上突設して、前記係止部37により、多角形ボルトの回転を阻止した状態で多角形ナットを締着させ、又は多角形ナットの回転を阻止した状態で多角形ボルトを締着することができるようになっている。そのため、取付部31の内面側に少なくとも２個以上突設した係止部37間に多角形ナットを配置し、その側面を係止部37に当接させて多角形ボルトを締付ければ、多角形ナットの回転が阻止され、支柱1と横桟支持具3との固定を効率良く行うことができる。【選択図】  図２
2008031726.tif 000002
【特許請求の範囲】
【請求項１】
支柱間に長尺の管状体からなる横桟が架設されてなる防護柵の支柱に固定されて横桟を支持する横桟支持具であって、該横桟支持具の支柱と当接する取付部に穿設したボルト孔の内面側周囲に、前記ボルト孔を介して横桟支持具を支柱に固定する多角形ボルトの頭部側面又は多角形ナットの側面に当接して、前記多角形ボルト又は多角形ナットの回転を阻止する係止部が少なくとも２個以上突設され、前記係止部により、多角形ボルトの回転を阻止させた状態で多角形ナットを締着させ、又は多角形ナットの回転を阻止させた状態で多角形ボルトを締着させることにより、横桟支持具を支柱に固定することができるようになされたことを特徴とする防護柵の横桟支持具。
【発明の詳細な説明】
【技術分野】
【０００１】
本発明は、歩車道境界や道路境界等に用いられ、主に道路や橋梁上に設置される防護柵の横桟支持具に関するものである。
【背景技術】
【０００２】
従来、防護柵の横桟支持具に関する発明は多岐にわたりなされており、例えば特許文献１には、円筒状の保持部材とブラケットからなる横桟取付金具であって、保持部材はその中央部を水平かつ長手方向に対して直角に貫通する工具挿入孔を有し、かつ中央部の底部及び／又は長手方向の両端部の底部にボルト挿入孔を有するとともに、ブラケットは支柱固定ボルトを通す貫通孔を有するものが開示されている。
【０００３】
【特許文献１】特開２００５−２６４５４２号公報
【発明の開示】
【発明が解決しようとする課題】
【０００４】
しかしながら、上述の如き防護柵の横桟取付金具においては、支柱に横桟取付金具を固定する時、ボルトとナットとを締付用工具を用いて緊締するのであるが、その際、ボルト頭及びナットの両方を締付用工具をもって保持し、いずれかを回動させて締め込んでいくため、両手に各々締付用工具を把持し作業せねばならず、必ずしも作業性に優れているとは言えなかった。
【０００５】
そこで本発明は上記の如き問題点を解消し、１個の締付用工具をもって締付作業が実施可能であり、作業性に優れた防護柵の横桟支持具を提供せんとするものである。
【課題を解決するための手段】
【０００６】
上記目的を達成するために、本発明は次のような構成としている。
すなわち、本発明に係る防護柵の横桟支持具は、支柱間に長尺の管状体からなる横桟が架設されてなる防護柵の支柱に固定されて横桟を支持する横桟支持具であって、該横桟支持具の支柱と当接する取付部に穿設したボルト孔の内面側周囲に、前記ボルト孔を介して横桟支持具を支柱に固定する多角形ボルトの頭部側面又は多角形ナットの側面に当接して、前記多角形ボルト又は多角形ナットの回転を阻止する係止部が少なくとも２個以上突設され、前記係止部により、多角形ボルトの回転を阻止させた状態で多角形ナットを締着させ、又は多角形ナットの回転を阻止させた状態で多角形ボルトを締着させることにより、横桟支持具を支柱に固定することができるようになされたことを特徴とするものである。
【発明の効果】
【０００７】
本発明によれば、横桟支持具の支柱と当接する取付部に穿設したボルト孔の内面側周囲に、前記ボルト孔を介して横桟支持具を支柱に固定する多角形ボルトの頭部側面又は多角形ナットの側面に当接させ、前記多角形ボルト又は多角形ナットの回転を阻止する係止部を少なくとも２個以上突設して、前記係止部により、多角形ボルトの回転を阻止した状態で多角形ナットを締着させ、又は多角形ナットの回転を阻止した状態で多角形ボルトを締着することができるようになしているため、例えば締付用工具をもって多角形ボルトを締付けていく場合、取付部の内面側に少なくとも２個以上突設した係止部間に多角形ナットを配置し、その側面を係止部に当接させて多角形ボルトを締付ければ、多角形ナットを指で軽く支持しておくだけで、多角形ナットの回転が阻止され、支柱と横桟支持具との固定を効率良く行うことができることから、施工効率が向上する。
【発明を実施するための最良の形態】
【０００８】
本発明に係る実施の形態について、図面に基づき以下に具体的に説明する。
すなわち、図１は本発明に係る防護柵の横桟支持具の実施の一形態を示す、（イ）は正面図、（ロ）は側面図、（ハ）は平面図、（ニ）は背面図、図２は図１に示す防護柵の支持具を用いて形成した防護柵の要部拡大の分解斜視図、図３は本発明に係る防護柵の横桟支持具の別の実施形態を示す、（イ）は正面図、（ロ）は側面図、（ハ）は平面図、（ニ）は背面図、図４は本発明に係る防護柵の横桟支持具の更に別の実施形態を示す、（イ）は正面図、（ロ）は側面図、（ハ）は平面図、（ニ）は背面図である。
【０００９】
道路等に設置される防護柵は、間隔をおいて立設された支柱１間に長尺の横桟２が上下並行に間隔を開けて取付けられたものである（但し、図２においては、その要部を拡大して示す）。支柱１は、従来の防護柵に用いられているものと同様なものが用いられ、一般には外表面を塗装や合成樹脂で被覆した円形の鋼管から形成されているものであって、支柱１の側面に取付けられた金属製の横桟支持具３を介して横桟２が取付けられているものである。また、横桟２も、従来の防護柵に用いられているものと同様なものが用いられ、一般には外表面を塗装や合成樹脂で被覆した長尺の円形鋼管から形成されている。
【００１０】
横桟支持具３は、板材を側面視略馬蹄形状に折曲したものであって、支柱１の側面に当接する取付部３１が設けられ、その中央付近には横長形状のボルト孔３２が穿設され、前記ボルト孔３２に支柱１側から六角ボルトＢを挿通・螺着して横桟支持具３が支柱１に固定される。また、取付部３１の上端から前方に先端が下方に湾曲した上側支持部３３が延設され、取付部３１の下端からはこれに対向して、先端が上方に湾曲した下側支持部３４が前方に延設され、前記上側支持部３３及び下側支持部３４には上下方向にボルトＢ１を挿通してインナースリーブ４を固定するための横長孔３５、３６が穿設されている。
【００１１】
図１において、取付部３１のボルト孔３２の上下にはそれぞれ１個ずつ、六角ナットＮの回転を阻止する円形ドーム状の係止部３７が内面側に突設されている。六角ボルトＢと六角ナットＮとを用いて横桟支持具３を支柱１に螺着・固定する際には、六角ナットＮを取付部３１のボルト孔３２の内面側に配置すると共に六角ナットＮの側面を上下の係止部３７で係止させるように指で支持しつつ、支柱１の側面から前記ボルト孔３２を挿通させた六角ボルトＢを六角ナットＮに螺入していけば、前記係止部３７によって、六角ナットＮの回転が阻止され、六角ボルトＢと六角ナットＮとを効率よく締着することができるのである。
【００１２】
なお、図３及に示すように、横長形状のボルト孔３２の上下にそれぞれ２個ずつ、円形ドーム状の係止部３７を形成してもよいし、また図４に示すように、横長形状のボルト孔３２の上下にそれぞれ１個ずつ、横長ドーム状の係止部３７を形成してもよい。要は、係止部３７間に六角ナットＮを指で支持し、支柱１の側面から前記ボルト孔３２を挿通させた六角ボルトＢを六角ナットＮに螺入する際に、係止部３７に六角ナットＮの側面が当接して、六角ナットＮの回転が阻止されるようになされていればよい。また、言うまでもなく、六角ボルトＢと六角ナットＮを逆に用いて、六角ボルトＢの頭部側面が係止部３７に当接するようになしてもよい。
【００１３】
また、横桟支持具３の取付部３１に係止部３７を形成する方法としては、湾曲した円形ドーム状の部材を取付部３１の内面に溶接して形成してもよいが、溶接手間や仕上がりの具合を考慮すると、取付部３１の外面に凹み３８は生じるものの、取付部３１の外面からプレス加工して、内面に係止部３７を突出させるようにして形成するのが好ましい。
【００１４】
さらに、前記形態における係止部３７は、いずれも上下に形成されているが、左右に形成されていてもよい。ただし、横断面が円形の支柱に対して、横桟支持具３の取付部３１の形状を支柱の側面に沿うように湾曲状とした場合に、係止部３７を左右に形成すると、湾曲した分だけ係止部３７の高さを高くする必要があることから、上下に形成するのが好ましい。上下に形成すれば、下側の係止部３７でこれに係止される六角ナットＮ又は六角ボルトＢを若干でも支えられる利点がある。また、斜めに形成してもよい。
【００１５】
さらに又、前記形態における係止部３７は、いずれも取付部３１の内面に一体的に形成されているが、上側支持部３３の内面から下方に突出させたり、下側支持部３４の内面から上方に突出させるようにして形成してもよい。かようにして、取付部３１に穿設したボルト孔３２の内面側周囲に形成した係止部３７によっても、取付部３１に穿設したボルト孔３２の内面側周囲に、多角形ボルトの頭部側面又は多角形ナットの側面を当接させて、前記多角形ボルト又は多角形ナットの回転を阻止することができる。
【００１６】
そして、支柱１に固定された横桟支持具３の上側支持部３３及び下側支持部３４の間に断面略円形のインナースリーブ４を水平方向から挿入し、上方からボルトＢ１を横長孔３５、インナースリーブ通孔４１、横長孔３６に挿通し、下方からナットＮ１を螺着して、インナースリーブ４が横桟支持具３を介して支柱１に固定される。そして、インナースリーブ４の両側に横桟２，２端部を外挿して、上下方向にそれぞれ２個ずつのボルトＢ２・ナットＮ２を挿通・螺着して、横桟２，２は横桟支持具３を介して支柱１に固定される。
【産業上の利用可能性】
【００１７】
本発明に係る防護柵の横桟支持具は、横桟支持具の支柱と当接する取付部に穿設したボルト孔の内面側周囲に、前記ボルト孔を介して横桟支持具を支柱に固定する多角形ボルトの頭部側面又は多角形ナットの側面に当接させ、前記多角形ボルト又は多角形ナットの回転を阻止する係止部を少なくとも２個以上突設して、前記係止部により、多角形ボルトの回転を阻止した状態で多角形ナットを締着させ、又は多角形ナットの回転を阻止した状態で多角形ボルトを締着することができるようになしているため、例えば締付用工具をもって多角形ボルトを締付けていく場合、取付部の内面側に少なくとも２個以上突設した係止部間に多角形ナットを配置し、その側面を係止部に当接させて多角形ボルトを締付ければ、多角形ナットを指で軽く支持しておくだけで、多角形ナットの回転が阻止され、支柱と横桟支持具との固定を効率良く行うことができる防護柵の横桟支持具として、好適に利用することができる。
【図面の簡単な説明】
【００１８】
【図１】本発明に係る防護柵の横桟支持具の実施の一形態を示す、（イ）は正面図、（ロ）は側面図、（ハ）は平面図、（ニ）は背面図である。
【図２】図１に示す防護柵の支持具を用いて形成した防護柵の要部拡大の分解斜視図である。
【図３】本発明に係る防護柵の横桟支持具の別の実施形態を示す、（イ）は正面図、（ロ）は側面図、（ハ）は平面図、（ニ）は背面図である。
【図４】本発明に係る防護柵の横桟支持具の更に別の実施形態を示す、（イ）は正面図、（ロ）は側面図、（ハ）は平面図、（ニ）は背面図である。
【符号の説明】
【００１９】
１      支柱
２      横桟
３      横桟支持具
３１    取付部
３２    ボルト孔
３７    係止部
４      インナースリーブ
【図１】
2008031726.tif 000003
【図２】
2008031726.tif 000004
【図３】
2008031726.tif 000005
【図４】
2008031726.tif 000006